(57)【要約】  本発明は２線式バス用の送信器出力段に関し、その出力段は、バスの2本の線（７，８）に等しいが逆符号の電流を課し、電圧を供給する第１の電圧源（５）と、等しいが逆符号の電流を制御し、バス線（７，８）上にデータビットを発生させる第２の電圧または電流源（６）と、ベースが前記第２の電圧源（６）により駆動され、双方とも等しいコレクタ電流を発生させ、その第１の電流（Ｉ１）が第１のバス線（７）に、出力端において第１のバス線に供給される電流（Ｉ１）と等しく逆符号の電流（Ｉ２）を第２のバス線（８）に発生する電流ミラー回路（３，４）の一つの入力に第２の電流（ＩＴ１）が供給される２つのＰＮＰトランジスタ（１，２）とを備える。
2005516479.tif 000002
【特許請求の範囲】
【請求項１】
２線式バス用送信器出力段であって、その出力段はバスの2本の線に等しいが逆符号の電流を課すものであって、電圧を供給する第１の電圧源と、前記等しいが逆符号の電流を制御し、バス線上にデータビットを発生させる第２の電圧または電流源と、ベースが前記第２の電圧源により駆動され、双方とも等しいコレクタ電流を発生させ、その第１の電流を第１のバス線に、前記第１のバス線に供給される電流と等しく逆符号の電流を出力端において第２のバス線に課する電流ミラー回路の一つの入力に第２の電流が供給される２つの第１のトランジスタとを備えた送信器出力段。
【請求項２】
前記２つの第１のトランジスタはＰＮＰトランジスタの形式であり、それらのエミッタは前記第１の電圧源の正極に接続され、前記２つのＰＮＰトランジスタの第１のトランジスタは、ＮＰＮ入力トランジスタのベースにベースが接続されたＮＰＮ出力トランジスタを有する前記電流ミラー回路の入力トランジスタのコレクタおよびベースに接続されたコレクタを有しており、前記電流ミラー回路の両方のトランジスタのエミッタは前記第１の電圧源の負極に接続されたことを特徴とする請求項１に記載の送信器出力段。
【請求項３】
前記第２の電圧源は複数の異なる電圧値を供給し、この電圧値はデータバスの静止状態を起動し、そのデータバスの少なくとも一つのアクティブ状態を起動するものであることを特徴とする請求項１または２に記載の送信器出力段。
【請求項４】
前記データバスはＣＡＮバスであり、前記第２の電圧源は２つの異なる電圧値を供給し、その一つは前記データバスの静止状態を起動し、他はそのデータバスのアクティブ状態を起動するものであることを特徴とする請求項１または２に記載の送信器出力段。
【発明の詳細な説明】
【技術分野】
【０００１】
本発明は、２線式バス用送信器出力段に関する。
【背景技術】
【０００２】
２線式バスシステム、例えばＣＡＮバス、においてはいわゆる共通モードチョークの使用がなされる。これらは送信器出力段から独立に設けられ、これらが役立つ目的は、バスシステムから電気磁気的放射を減少させることである。これは、共通モードチョークは等しい大きさであるが異なる符号の電流をバスシステムの２本の線に課すという事実を理由として達成される。
【０００３】
共通モードチョークは、これらが独立した回路として準備されなければならないため、バスシステムに対する追加のコストを意味する。
【発明の開示】
【発明が解決しようとする課題】
【０００４】
本発明の目的は、等しいが逆符号の電流により、バスからの電気磁気的放射を自身で最小化することにより、共通モードチョークをなしで済ますような送信器出力段を提供することである。
【課題を解決するための手段】
【０００５】
この目的は本発明にしたがって、請求項１の特徴、
２線式バス用送信器出力段であって、その出力段はバスの2本の線（７，８）に等しいが逆符号の電流を課すものであって、電圧を供給する第１の電圧源（５）と、前記等しいが逆符号の電流を制御し、バス線（７，８）上にデータビットを発生させる第２の電圧または電流源（６）と、ベースが前記第２の電圧源（６）により駆動され、双方とも等しいコレクタ電流を発生させ、その第１の電流（Ｉ１）を第１のバス線（７）に、前記第１のバス線に供給される電流（Ｉ１）と等しく逆符号の電流（Ｉ２）を出力端において第２のバス線（８）に課する電流ミラー回路（３，４）の一つの入力に第２の電流（ＩＴ１）が供給される２つの第１のトランジスタ（１，２）とを備える、
ことにより達成される。
【０００６】
この種の送信器出力段は出力段に対して電流あるいは電圧を供給する第１の電圧源を有している。第２の電圧源あるいは電流源によって、同じコレクタ電流を発生するように設計された２つのトランジスタのベースに対する駆動が提供される。これらのコレクタ電流の第１のものは２線式バスの第１の線に供給される。第２のトランジスタにより発生された同じ大きさの電流は電流ミラー回路に供給され、出力端において後者は同じ大きさであるが符号が逆の電流を発生し、この電流は２線式バスの第２の線に供給される。
【０００７】
このようにして達成されるのは、同じ大きさで異なる符号の電流が所望したように２つのバス線に供給され、これによりバスシステムの２つのバス線からの電気磁気的放射を最小にすることができる。
【０００８】
従って、この効果を達成するために、従来技術として知られている共通モードチョークのような追加の回路をもはや必要としない。
【０００９】
むしろ、第２の電圧源の制御の下では、送信出力ステージは、等しいが逆符号の電流がバスシステムの２本の線に供給されることをいつも保証している。これは、送信器出力段がオフロードで作動しているとき、すなわちデータがデータバスに供給されていないとき、およびアクティブモードで作動しているとき、すなわちデータが供給されているときのいずれの時も真実である。これらの２つのモード（３つ以上のモードについても準備することができる）は第２の電圧源によって供給される電圧の量を選択することによって選択され得る。
【００１０】
したがって、最後の分析によって得られるものは、データを送信し、２線式バスからの電気磁気的放射を最小化するのに適した送信器出力段用の非常に簡略的な回路である。
【００１１】
請求項２に請求された本発明の実施例において備えられているように、２つの電流の異なった極性のために２つのＰＮＰトランジスタが、等しい電流を供給する２つの第１のトランジスタとして設けられても良い。第１のバス線に供給される電流と比較して同じ大きさであるが逆符号である電流を供給する電流ミラーは、２つのＮＰＮトランジスタで構成されることが有利である。
【００１２】
本発明の更なる実施例においては、請求項３に詳細に説明されるように、２線式バスの２本の線に供給される電流の大きさを制御する第２の電圧源は、例えばデータバス用の静止状態およびデータバス上の１つ以上のアクティブ状態を起動する異なる値の複数の電圧を供給しても良い。
【００１３】
請求項４に請求された本発明の更なる実施例においては、データバスは例えばＣＡＮバスであり、これは乗り物に使用されるために、電気磁気的放射を最小にすることは特に重要である。
【発明を実施するための最良の形態】
【００１４】
本発明のこれらおよび他の側面は、以下に説明される実施例および図面中の単独の図を参照して明白であり、かつ明らかにされる。
【００１５】
図面は回路図の形をなしているが、送信器出力段に電圧を供給する第１の電圧源５を有する、本発明による送信器出力段を示している。
【００１６】
第１のＰＮＰトランジスタ１および第２のＰＮＰトランジスタ２のベースを駆動する第２の電圧源６が備えられている。これらの２つのＰＮＰトランジスタ１および２のエミッタは、第１の電圧源５の正極に接続されている。
【００１７】
２つのＰＮＰトランジスタ１および２は等しい値のコレクタ電流を発生するように設計されている。図面中でＩ１として特定されるＰＮＰトランジスタ２のコレクタ電流は、図面には特に表されてはいない２線式バスシステムの第１のバス線７に供給される。
【００１８】
目的は２線式バスの第２のバス線８に等しい値で逆符号の電流を供給することである。
【００１９】
この目的のため、図中でＩＴ１として特定され、電流Ｉ１と同じ値と符号を有する、第１のＰＮＰトランジスタのコレクタ電流が用いられる。
【００２０】
この電流ＩＴ１は、２つのＮＰＮトランジスタ３および４で構成される電流ミラー回路に供給される。２つのＮＰＮトランジスタ３および４のエミッタは第１の電圧源５の負極に接続される。電流ミラー回路の入力トランジスタ３はダイオードとして、すなわちそのベースとコレクタが共に接続されて、接続されている。ＰＮＰトランジスタ１からの電流ＩＴ１は電流ミラー回路の入力トランジスタ３のコレクタに供給される。したがって、電流ミラー回路の出力トランジスタ４はそのコレクタに同じ値で逆符号の電流を発生する。この電流は図中ではＩ２として特定される。
【００２１】
したがって、電流Ｉ２は、電流Ｉ１と比較して等しい値で逆符号である、まさに所望の電流である。この電流は第２のバス線８に供給される。
【００２２】
このことは逆符号で等しい大きさの電流が２本のバス線７および８に流れることを意味している。
【００２３】
それに関しては、電圧源６は制御されても良い。すなわち、電圧源は、データバスやむしろそのバス線７および８上に種々の状態を発生させるために用いられる得る複数の異なる電圧値を配送するものであっても良い。
【００２４】
電圧源からの異なる電圧値があった場合でも、これらの値が等しいか第１の電圧源よりも低ければ、バス線が静止状態にあるか、２線式バスのバス線７および８にデータが供給されるアクティブ状態にあるかのいずれの場合であっても、等しくかつ逆符号の電流が送信器出力段によりいつもバス線７および８に課されることが保証される。
【００２５】
従って、上述した目的は動作のいかなる状態であっても達成される。これは、送信器出力段の比較的単純な構成で特別の追加の回路を必要とせずになされる。
【００２６】
バス端のトランジスタ、すなわちトランジスタ２および４は繰り返し可能である。すなわち、そのようなトランジスタの一つ以上が、より大きな電流を得るために並列に接続して備えられ得る。
【００２７】
電圧源６の代わりに、トランジスタのベースへ電流を供給し、他の極が電流ミラーの入力に接続されるような電流源を設けることもできる。トランジスタ１から４は電界効果型トランジスタの形式であっても良い。
【００２８】
電流が第２の電圧源６からの電圧を適当に設定することにより調整される場合、このような調整は、所望の電圧が第１のバス線に対して一般的にプリセットされるとして、第１のバス線７上の電圧に向けられるべきである。この目的で、例えば、第１のバス線上の電圧を第１の電圧源６に適当にフィードバックするように用意されると良い。
【図面の簡単な説明】
【００２９】
【図１】送信器出力段に電圧を供給する第１の電圧源５を有する、本発明による送信器出力段を示す回路図である。
【図１】
2005516479.tif 000003
【国際調査報告】
2005516479.tif 000004
2005516479.tif 000005